(57)【特許請求の範囲】
【請求項１】
リール本体の左右側板間に設けられ、釣糸が巻回されるスプールと、
前記リール本体に設けられ、前記スプールを回転駆動する駆動モータと、
前記左右側板間に前後方向に回転可能に支持され、前記駆動モータの出力を調整する操作部材と、
を有する魚釣用電動リールであって、
前記操作部材は、前記左右側板の中央領域に形成された平面状の操作部と、前記操作部の少なくとも一方の側部に形成され、前記操作部に載置した指が当て付く段差部と、を有することを特徴とする魚釣用電動リール。
【請求項２】
前記段差部の軸方向外方は円筒状に形成され、回転操作可能なダイヤル状操作部であることを特徴とする請求項１に記載の魚釣用電動リール。
【請求項３】
前記ダイヤル状操作部は、前記平面状の操作部の両側に形成されており、
前記平面状の操作部は、前記ダイヤル状操作部の表面から径方向外方に突出していることを特徴とする請求項２に記載の魚釣用電動リール。
【請求項４】
前記操作部材は、前記駆動モータを制御する制御部を収容した制御ケースの後端縁に沿って配設されており、
前記操作部材は、前記駆動モータの出力がゼロのとき、前記平面状の操作部が前記制御ケースの表面と略同一方向となるように配設されていることを特徴とする請求項１から３のいずれか１項に記載の魚釣用電動リール。
【請求項５】
前記平面状の操作部の表面に滑り抑制部を形成したことを特徴とする請求項１から４のいずれか１項に記載の魚釣用電動リール。
【発明の詳細な説明】
【技術分野】
【０００１】
本発明は、魚釣用電動リールに関する。
【背景技術】
【０００２】
従来、魚釣用電動リールとして、例えば、特許文献１に開示されているように、スプールを巻き取り操作する（駆動モータの出力を連続的に可変操作する）操作部材をレバータイプにして、リール本体の一方の側板に回動可能に支持した構成が開示されている。
【０００３】
また、最近では、手持ち状態で操作が行えるように、コンパクト化された魚釣用電動リールも製品化されている。例えば、特許文献２には、駆動モータを制御する制御部を収容した制御ケースの後方に円筒状の操作部材（ダイヤル式の操作部材）を前後方向に回転できるように支持した構成が開示されている。このような構成の魚釣用電動リールでは、反ハンドル側の手でリール本体を把持した状態で、そのまま親指を操作部材に当て付けて前後方向に転がすように操作できることから、釣竿を手持ちした状態で駆動モータの出力を調整することが可能となる。また、この特許文献には、円筒状の操作部材の表面の一部にレバー部を形成した構成も開示されている（図３１）。
【先行技術文献】
【特許文献】
【０００４】
【特許文献１】特許第２９７７９７８号
【特許文献２】特開２０１２−１０６９６号
【発明の概要】
【発明が解決しようとする課題】
【０００５】
上記の特許文献１に開示されている魚釣用電動リールでは、一方の手でリール本体を把持し、他方の手で釣竿を握持している状態では、駆動モータの出力を調整することができないため、操作性が劣るという問題がある。例えば、大きい魚が掛かったとき、或いは、釣竿をロッドキーパに装着するときは、一方の手でリール本体を把持し、他方の手でリール本体前方の釣竿を握持することから、この状態で咄嗟に駆動モータを回転駆動することはできない。
【０００６】
また、特許文献２に開示されているダイヤル式の操作部材では、手の指で摘んで確実に回転操作することが難しいという問題がある。この場合、図３１に示すように、円筒部分の表面の一部にレバー部を形成した構成であっても、転がし操作する円筒状部の一部を突出させただけであるため、その部分を確実に指で摘んで安定した回転操作をすることが難しいと共に、指の座りも安定せず、微妙な回転操作がし難い。
【０００７】
本発明は、上記した問題に着目してなされたものであり、駆動モータの出力調整の操作性が良好な操作部材を有する魚釣用電動リールを提供することを目的とする。
【課題を解決するための手段】
【０００８】
上記した目的を達成するために、本発明に係る魚釣用電動リールは、リール本体の左右側板間に設けられ、釣糸が巻回されるスプールと、前記リール本体に設けられ、前記スプールを回転駆動する駆動モータと、前記左右側板間に前後方向に回転可能に支持され、前記駆動モータの出力を調整する操作部材と、を有しており、前記操作部材は、前記左右側板の中央領域に形成された平面状の操作部と、前記操作部の少なくとも一方の側部に形成され、前記操作部に載置した指が当て付く段差部と、を有することを特徴とする。
【０００９】
上記した構成の魚釣用電動リールでは、駆動モータの出力を調整する操作部材が、左右側板の中央領域に位置する平面状の操作部を有しているため、この部分を摘んで操作することができ、駆動モータの出力調整の操作性の向上が図れるようになる。また、平面状の操作部に指を載置すると、その側部に指が当て付く段差部が形成されているため、操作部上での指の座りが安定し、微妙な回転操作がし易くなる。さらに、操作部は、左右側板の中央領域に形成されているため、操作する際の安定化が図れる。
【発明の効果】
【００１０】
本発明によれば、駆動モータの出力調整の操作性が良好な操作部材を有する魚釣用電動リールが得られる。
【図面の簡単な説明】
【００１１】
【図１】本発明の一実施形態に係る魚釣用電動リールの平面図。
【図２】図１に示した魚釣用電動リールをハンドル側から見た側面図。
【図３】図１に示した魚釣用電動リールを後方側から見た後面図。
【図４】図１に示した魚釣用電動リールの内部機構を部分的に示した平面図。
【図５】図１に示した魚釣用電動リールの内部駆動機構を側方から見た概略図。
【図６】制御ケース及び操作部材の中央位置における断面図。
【図７】図４のＡ−Ａ線に沿う断面図。
【図８】操作部材の斜視図。
【図９】操作部材の正面図。
【図１０】釣竿と共にリール本体を把持した状態で操作部に指を載置した状態を示す図。
【図１１】一方の手で釣竿と共にリール本体を把持しながら操作部材を操作し、他方の手で釣竿を握持している状態を示す図。
【図１２】操作部材を摘んで操作している状態を示す図。
【発明を実施するための形態】
【００１２】
以下、図面を参照しながら、本発明に係る魚釣用電動リールの実施形態について説明する。
図１から図９は本発明に係る魚釣用電動リールの実施形態を示す図であり、図１は平面図、図２はハンドル側から見た側面図、図３は後方側から見た後面図、図４は内部機構を部分的に示した平面図、図５は内部駆動機構を側方から見た概略図、図６は制御ケース及び操作部材の中央位置における断面図、図７は図４のＡ−Ａ線に沿う断面図、図８は操作部材の斜視図、そして、図９は操作部材の正面図である。
なお、以下の説明において、前後方向、左右方向、上下方向は、図１及び図２に記載の方向と定義する。
【００１３】
図１に示すように、本実施形態に係る魚釣用電動リール１は、左右のフレーム３ａ，３ｂに左右カバー４ａ，４ｂを取着して構成される左右側板５Ａ，５Ｂを具備したリール本体５を有している。リール本体５を構成する一方の側板（右側板５Ｂ）側には、巻取り操作される手動ハンドル６が設けられており、左右側板５Ａ，５Ｂ間には、釣糸が巻回されるスプール７が、回転軸であるスプール軸７ａ（図７参照）を中心に回転可能に支持されている。また、左右のフレーム間には、リール本体を釣竿Ｒ（図１０〜図１２参照）に装着するためのリール脚５ａが形成されている。
【００１４】
本実施形態では、スプール７の前方側における左右側板５Ａ，５Ｂ間に駆動モータ８を保持しており、スプール７は、手動ハンドル６の巻取り操作および駆動モータ８の回転駆動によって、動力伝達機構１０を介して釣糸巻取り方向に回転駆動される。
【００１５】
前記駆動モータ８については、スプール７の内部に設置する構成であっても良いが、本実施形態のように、スプール７の前方に設置することで、スプール７の糸巻き量を確保しつつ、リール本体５を可及的にコンパクト化することが可能となる。なお、本発明は、ある程度の大きな魚がヒットしたときに、一方の手でリール本体を把持し、他方の手でリール本体前方の釣竿を握持しながら操作部材を安定して操作することができ、かつ、操作部材に指で摘んで安定した操作が行えるレバー部を有する構造であることから、そのような操作部材は、比較的大きな魚釣用電動リールに適用することが好ましい。具体的には、本発明に関する操作部材は、ＰＥライン５号を３００ｍ以上巻回できるスプールを備えた魚釣用電動リールに適用することが好ましい。
【００１６】
前記動力伝達機構１０については、駆動モータ８の回転駆動力を減速してスプール７側に伝達する機能（減速機構１２および伝達ベルト１３（図４参照）などによって果たされる）、駆動モータ８が回転駆動しても手動ハンドル６を連れ回しさせない機能や手動ハンドル６の逆回転を防止する機能（ラチェット１４を含む）などを備えた公知のものによって構成することが可能である。また、そのような動力伝達機構１０については、左側板５Ａ側に配設されていても良いし、右側板５Ｂ側に配設されていても良く、或いは、左右側板それぞれに振り分けて配設されていても良い。なお、図４において、符号１６は、ハンドル６に結合されたハンドル軸、符号１８は、ハンドル軸１６に回転可能に支持されたドライブギヤ、符号２０は、ドライブギヤ１８に噛合するピニオンであり、これらは前述した動力伝達機構１０を構成する。また、図中、符号２１は、魚釣時にスプール７から釣糸が繰り出された際にスプール７の回転にドラグ力を付与する公知のドラグ機構であり、リール本体５とハンドル６との間には、ドラグ機構２１によるドラグ力の調整を行なうための星型のドラグ調整ノブ（スタードラグ）２２が設けられている。
【００１７】
前記スプール７の前方の左右側板５Ａ，５Ｂ間には、スプール７に対して均等に釣糸を巻回する機能を備えた公知のレベルワインド機構２３が設置されている。また、リール本体５を構成する左右側板５Ａ，５Ｂ間のスプール７の上方には、駆動モータ８を制御する制御部１００（制御基板１００Ａ，１００Ｂを有する）を収容した箱型の制御ケース１０２が配設されている。本実施形態の制御ケース１０２は、リール本体を構成する左右側板５Ａ，５Ｂの表面と面一状になるように構成されている。
【００１８】
前記制御ケース１０２に収容される制御部１００は、魚釣用電動リールの動作を制御するＣＰＵ（Central Processing Unit）、糸長を計測したり、駆動モータの出力を可変制御するための各種プログラムや設定情報などを記憶したＲＯＭ（Read Only Memory）、一時記憶領域としてのＲＡＭ（Random Access Memory）等を実装した制御基板（マイクロコンピュータ）及び各種駆動回路を実装した回路基板を備えており、制御基板は、各作動要素との間で信号の送受信がなされ、動作を制御する。なお、本実施形態の制御部１００は、図６に示すように、制御基板１００Ａ、及び回路基板１００Ｂを上下方向に配置することによって構成されているが、これらを１枚の基板で構成しても良い。
【００１９】
前記リール本体５内には、前記ピニオン２０を軸方向に移動させてスプール７を釣糸巻き取り状態／フリー回転状態に切り換える公知のクラッチ機構３０（図５参照）が配設されている。このクラッチ機構３０は、動力伝達機構１０に介在されて手動ハンドル６および駆動モータ８からの動力伝達を継脱する機能を備えており、本実施形態では、右側板５Ｂ側に設置されている。このクラッチ機構３０を構成するクラッチプレート３１には、動力伝達をＯＮ状態からＯＦＦ状態に切り換えるクラッチＯＦＦ切換部材３２と、動力伝達をＯＦＦ状態からＯＮ状態に切り換えるクラッチＯＮ切換部材３３が係合している。
【００２０】
本実施形態におけるクラッチＯＦＦ切換部材３２は、スプール７をサミングしながら操作が可能となるように、スプール７の後方側の左右側板５Ａ，５Ｂ間に橋設された構成となっており、図３に示す状態から、その表面となる操作部３２ａに親指を載置して下方に押し下げ操作することで、クラッチ機構３０をＯＮ状態からＯＦＦ状態に切り換えるよう構成されている。このクラッチＯＦＦ切換部材３２は、前記クラッチプレート３１に係合する振り分け保持バネ３５によって、図５に示すクラッチＯＮ位置とクラッチＯＦＦ位置（図示せず）との間で振り分け保持される。
【００２１】
また、本実施形態におけるクラッチＯＮ切換部材３３は、右側板５Ｂ側に設置されており、前記振り分け保持バネ３５によってクラッチＯＮ位置とクラッチＯＦＦ位置との間で揺動可能となるよう振り分け保持されている。この場合、クラッチＯＮ切換部材３３は、クラッチＯＮ状態では、図２、図５に示すように、右側板５Ｂの表面と略面一状となり、クラッチＯＦＦ状態では、右側板５Ｂの表面から突出するようになっている。このクラッチＯＮ切換部材３３は、スプール７に巻回された釣糸に対して親指の腹部でサミング操作している状態から容易にＯＮ操作できるように（左側板の後端側を支点として親指が届き易いように）、巻回されている釣糸の側方でやや後方側に設置されていることが好ましい。
なお、クラッチＯＮ切換部材３３は、上記のように揺動される機械式以外にも、電気式（例えば、ソレノイドを利用したもの）で構成されていても良い。また、クラッチＯＦＦ切換部材３２と一体部材で構成されていても良い。
【００２２】
前記リール本体５には、駆動モータ８に対して電力を供給するための給電部３８が設けられている。この給電部３８は、左側板５Ａの前方側の下面領域に形成されており、この給電部３８に対しては、着脱可能な携帯バッテリ（図示せず）を装着したり、或いは、足元に置いたバッテリや釣り船に設置されている電源部から電力供給される給電コード３８ａ（図１２参照）が装着される。
【００２３】
前記制御ケース１０２は、図７に示すように、スプール７に対して上方で、その回転軸（この回転軸としては、本実施形態ではスプール７の外側に駆動モータ８が配置されているためスプール軸７ａが該当するが、スプール７の内部に駆動モータ８が配置される別の形態ではスプール軸７ａが存在しないためモータ８の回転軸が該当する）近傍からレベルワインド機構２３および駆動モータ８を覆うような大きさを備えている。
【００２４】
また、制御ケース１０２の後方部分には、駆動モータ８の出力を調整する操作部材４０が配置されている。本実施形態の操作部材４０は、左右側板間に支軸４１によって回転可能に支持されており、操作部材４０は、前記制御ケース１０２の後端縁１０２ａに沿って配設されている。前記支軸４１は、スプール軸７ａと略平行に配設されており、これにより操作部材４０は、スプール側にも露出した状態となり、前後方向（図１に示す平面視）に加え、上下方向（図３に示す後面視）に向けて回転操作できるように構成されている。なお、操作部材４０については、制御ケース１０２の後端縁１０２ａに前方に向けて凹陥部を形成しておき、制御ケースに対して回転可能に支持する構成であっても良い。
【００２５】
前記操作部材４０は、左右側板間に支持された状態で、その中央領域に平面状の操作部４２と、平面状の操作部４２の少なくとも一方の側部（本実施形態では、両側部に形成されている）に形成され、操作部４２に指（親指）を載置した際、その指が当て付く段差部４３と、を備えている。
【００２６】
前記操作部４２は、板状に形成されて表面が平坦状になっており、親指の腹部を載せることができる程度の大きさ（段差部間の幅Ｗが１２〜３０ｍｍ程度；図９参照）に形成されている。また、前記段差部４３は、操作部４２に指を載置した際に、指の軸方向の移動を規制するものであれば良く、本実施形態では、操作部４２の両側に、操作部４２の表面に対して高くなる段差を生じさせる略円筒状の部材４５を一体形成することで構成されている。具体的には、段差部の厚さＴ（図６参照）については、例えば、１〜６ｍｍ程度にすることが好ましく、これにより、操作部に載置した指の座りを安定させることが可能となる。
【００２７】
前記操作部４２の両側に形成される略円筒状の部材４５は、その表面に親指を当て付けて前後方向に転がすことが可能となっており、回転操作が可能なダイヤル状の操作部としての機能を備えている（以下、ダイヤル状操作部４５と称する）。ダイヤル状操作部４５の軸方向長さＬは、親指を下方側から（スプールの表面から）当て付けて容易に上下方向に回転操作したり、上方側から押え付けて、容易に前後方向に回転操作できるように、３〜１５ｍｍ程度あることが好ましい。また、このような構成では、ダイヤル状操作部４５の表面に、周方向に亘って連続する凹凸４５ａ等を形成しておくことが好ましく、これにより、当て付けた指を滑らせることなく、回転操作を容易かつ安定して行なうことが可能となる。
【００２８】
前記操作部４２は、単に平坦面として構成しても良いが、図８、図９に示すように、指を載置した際、その座りが安定するように、表面に凹部４２ａを形成しておくことが好ましい。このため、凹部の周囲４２ｂは盛り上がった状態となり、凹部４２ａに指を載置すると、腹部が安定し、操作性の向上が図れるようになる。また、前記凹部４２ａの表面には、滑りを抑制して操作性を向上するための手段（滑り抑制部）、例えば、図に示すように、支軸方向に沿った複数の突起４２ｃを形成したり、高摩擦部材等（図示せず）を被着しておくことが好ましい。これにより、表面での滑りを抑制し安定した操作を行なうことが可能となる。さらに、周囲４２ｂの縁部４２ｂ´については、断面視で湾曲面としておくことが好ましい。すなわち、このような湾曲面としておくことで、凹部４２ａに載置している指を後方にずらし操作部４２を押し上げ操作する際の指の当たりが良くなり、操作性が向上する。
【００２９】
また、操作部４２は、図６及び図７に示すように、駆動モータ８の出力がゼロのとき、制御ケース１０２の表面と略同一方向となるように配設されていることが好ましい。このような配置態様にすることで、駆動モータの出力がゼロの状態（魚の当たりを待っている状態）では、親指をそのまま操作部４２に載置しておくことができ、サムレストとしての機能を発揮することもできる。
【００３０】
前記ダイヤル状操作部４５は、操作性を考慮して、上記したように操作部４２の両側に形成しておくことが好ましく、操作部４２については、ダイヤル状操作部４５の表面から径方向外方に突出するような大きさに形成しておくことが好ましい。これにより、操作部４２を指で容易に摘み易くなるとともに、スプールをサミングしながら容易に押し上げ操作し易くなる。また、操作部４２は、図９に示すように、先端に移行するに従って軸方向の幅が減少するように構成することで、糸絡みし難くすると共に指の当たりを良くし、回転操作し易くすることができる。さらに、操作部４２の高さＨ（支軸４１の中心から先端縁までの高さ；図９参照）については、１０〜２０ｍｍ程度に設定しておくことが好ましい。これは、１０ｍｍ以上あれば、駆動モータの速度がゼロからＭＡＸ手前まで容易に摘めることができ、かつ、図１１で示すように、速度ＭＡＸ（最も倒したとき）にしたときでも容易に摘むことが可能であり、２０ｍｍ以下に設定しておくことで、スプールをサミングしているときでもその操作を阻害しないようにすることが可能となる。
【００３１】
上記した構成において、ダイヤル状操作部４５を構成する略円筒状とは、内部が中実であっても良いし、全体或いは部分的に空洞部があるものを含む概念である。また、その外形状については、正確な円筒形状は勿論、図に示すような凹凸４５ａが形成されていたり、指を押し付けることが可能な突起部（図示せず）が形成されたものであっても良い。或いは、軸方向の中間部分が膨出していたり、窪んでいるなど、軸方向に親指の腹部が当接できて回転操作ができるような外形状を備えたものであっても良い。また、回転表面が制御ケース１０２の表面から突出していても良いし、略面一状にされていても良い。
【００３２】
前記支軸４１には、図１に示すように、操作部４２及びダイヤル状操作部４５の操作角度を検知する検知手段、具体的には、角度センサ１１０が設置されており、支軸４１の回転位置に応じた操作位置信号を出力する。すなわち、角度センサ１１０は、操作部４２（ダイヤル状操作部４５）の操作位置に応じて操作信号を出力し、駆動モータ８の出力は、各操作部の操作位置に応じて調整することが可能となっている。なお、角度センサ１１０は、それぞれの操作部４２，４５の操作角度に応じた信号を生成する機能を備えたものであれば良く、例えば、操作部材の操作量に応じた抵抗値の変化を出力するポテンショメータを備えたもの、磁石を装着して回転位置に応じて磁界の変化を検出するもの、操作量に応じたパルスを生成するエンコーダを備えたものなど、様々な構造のものを適用することが可能である。
【００３３】
前記支軸４１は、前記スプール７の回転軸（スプール軸７ａ）と略平行となるように回転可能に支持されており、かつ、操作部材４０は、制御ケース１０２の後端縁に沿って配設されているため、操作部４２及びダイヤル状操作部４５は、略前後方向及び上下方向に変位できるようになっている。特に、操作部４２は、段差部４３によって窪んだ状態にあるため、操作部４２の表面に親指を当接させた際、親指の位置が大きく横にずれることがなく、リール本体の重心や給電部３８にかかる力（給電コードに引っ張られる力や携帯バッテリの重量負荷などで、釣竿Ｒの長手軸を中心に回転負荷による力）によるねじれ負荷に対し、操作性が低下することがなくなる。この場合、操作部４２を回転させた際の指（親指）の位置の横方向のずれを考慮すると、上記した略平行の範囲については、スプール７の回転軸に対して±３０°の範囲内であれば良い。すなわち、±３０°の範囲内であれば、リール本体５を把持した状態で、操作部４２を自由に回転しても、指（親指）の位置が横方向にずれ難くなり、リール本体を把持保持した際のバランスが悪くなることがない。
【００３４】
上述したように、制御ケース１０２には、駆動モータ８の駆動を制御する制御部１００が収容されており（図６参照）、操作部４２（ダイヤル状操作部４５）の回転操作量に応じて駆動モータ８の出力を調整するようになっている。この場合、制御部１００は、各操作部４２，４５を前方に向けて回動操作することで、駆動モータ８の出力が上昇するように設定されている。これにより、クラッチＯＦＦにして釣糸を出すこと、及び、クラッチＯＮにして釣糸を巻くこと、を頻繁に繰り返す操作（仕掛けにテンションを与えた状態で底だちを取る（海底付近の一般に言う底釣りにおいて、水深に合わせて糸の繰り出し量を調整する）操作）を行なう際、親指をそのまま前方に延ばして、操作部４２やダイヤル状操作部４５を押し上げるような操作をすることで、釣糸の巻き取り操作が瞬時に行えるようになり、操作性の向上が図れるようになる。
【００３５】
上記した操作部４２（ダイヤル状操作部４５）の回転操作量と駆動モータ８の出力との関係については任意である。本実施形態では、各操作部４２，４５の基準位置（図６、図７に示すように、操作部４２が制御ケース１０２の表面と略面一状になる位置）をモータの出力値ゼロとして、略１２０°前方に回転操作した際、モータ出力がＭａｘになるように設定されている。もちろん、各操作部４２，４５を後方に向けて回転操作した際に、駆動モータ８の出力が上昇するように設定しても良い。
【００３６】
前記制御ケース１０２の表面には、繰り出された釣糸の長さ（糸長情報）などを表示する表示部（液晶表示部）１２０が設けられており、また、その周囲には、各種の情報が設定可能な複数の操作ボタン１２１ａ，１２１ｂが配設されている。この操作ボタン１２１ａ，１２１ｂは、例えば、投入した仕掛けを所望の深さで停止させる深さ情報、駆動モータ８の出力の可変範囲を変更する出力範囲設定情報など、釣り人から各種の情報を受け付ける機能を有する。
【００３７】
また、前記フレームには、スプール７に巻回されている釣糸の繰り出し量を検知することが可能な糸長計測装置（図示せず）が配設されている。この糸長計測装置は、スプール７が釣糸の繰り出し／巻き取りで回転駆動された際、例えば、回転部分に装着されたマグネットと、これを検知する磁気センサによって実際の回転量や回転方向を検知し、その検知信号を生成し、前記制御部１００で演算して表示部１２０に表示させる。
【００３８】
次に、上記した構成の魚釣用電動リールの作用、効果について、図１０から図１２を参照して説明する。
【００３９】
上記したように、本実施形態における駆動モータ８の出力を調整する操作部材４０は、操作部４２、及び、操作部４２の両サイドに形成された２つのダイヤル操作部４５を備えているため、状況に応じてモータ出力の調整操作が行え、操作性の対応に優れた構成となる。すなわち、手持ち状態、釣竿をロッドキーパに設置した置き竿状態を想定したり、底だちを頻繁に取る操作（クラッチを切って釣糸を出し、クラッチを入れて釣糸を少し巻く操作を繰り返し行なう操作）や、仕掛け回収モード（スプールの高速巻き取り）を想定した際、状況に応じて、その釣り人にとって操作性がし易い操作部４２，４５を選択することが可能となる。
【００４０】
例えば、釣竿Ｒと共にリール本体５を把持している状態（魚の当たりを待っている状態）、或いは、ロッドキーパに釣竿をセットして置き竿としている状態等では、図１０に示すように、リール本体５を把持している手の親指を操作部４２の表面に当て付けておくことができ、サムレストとしての機能を発揮することができる。この場合、操作部４２の両サイドには、段差部４３が存在しており、かつ、操作部４２の凹部４２ａに腹部を位置させておくことができるため、指の左右方向への振れが抑制されて座りが良くなる。
【００４１】
そして、この状態で魚がヒットしてスプール７を巻き取り駆動する場合、操作部４２に載置していた親指を後方にずらし、図１１に示すように、そのまま操作部４２を押し上げるような操作することで、容易にスプールを巻き取り駆動することが可能となる。特に、他方の手（右手）でリール本体５の前方の釣竿Ｒを握持している状態では、その右手を放すことなく巻き取り操作することができることから、大きい魚が掛かったとき、或いは、ロッドキーパに釣竿をセットするときに当たりがあったとき等、釣竿Ｒを握持している右手を放すことなく咄嗟に巻き取り操作に移行することができ、かつ、段差部４３によって左右方向のブレもなくなることから、巻き取り調整操作の確実性が向上する。
【００４２】
この場合、スプールの巻き取り操作については、上記した態様のみならず、操作部４２に載せている指を左右のいずれかにずらして、ダイヤル状操作部４５に当て付け、そのまま回転操作することで行なうことも可能である。すなわち、一方の手でリール本体を把持しながらスプールの巻き取り操作をするに際しては、釣人の好みにより、操作部４２を押し上げるように操作したり、ダイヤル状操作部４５を転がすように操作することができ、操作性の向上が図ることができる。
【００４３】
また、一方の手でリール本体を把持した状態でスプールをサミングしながら、他方の手で釣竿をシャクリ操作したり、あおり操作している状況で魚信があった場合など、親指をスプールから操作部４２の縁部４２ｂ´に当て付けたり、或いは、ダイヤル状操作部４５の表面に当て付けて、そのまま上方に向けて回転操作することで直ちに巻き取り操作に移行することも可能となる。
【００４４】
さらに、前記操作部４２は、平面状に形成されているため、図１２に示すように、この部分を親指と人差し指で摘んで操作することができ、特許文献１に開示されているような従来のレバータイプの操作部材と同様な駆動モータの出力調整が行え、操作性の向上が図れるようになる。特に、操作部４２は、ダイヤル状操作部４５の表面から径方向外方に突出していると共に左右側板の中央領域に形成されているため、実際に目視することなく感覚で摘み易いと共に、操作する際の安定化が図れるようになる。
【００４５】
以上、本発明の実施形態について説明したが、本発明は、駆動モータの出力を調整する操作部材が、左右側板の中央領域に形成された平面状の操作部４２と、操作部４２の少なくとも一方の側部に形成され、操作部４２に載置した指が当て付く段差部４３とを具備した構造であれば良く、その操作部材の設置位置、設置方法、及び操作方向など、適宜変形することが可能である。また、段差部４３については、円筒状の部材４５で構成するのではなく、操作部４２と同様な平面状の部材との間で段差部を形成しても良い。さらに、段差部については、一方側のみに形成する構成であっても良い。
【符号の説明】
【００４６】
１  魚釣用電動リール
５  リール本体
５Ａ，５Ｂ  左右側板
６  手動ハンドル
７  スプール
８  駆動モータ
４０  操作部材
４２  操作部
４３  段差部
４５  ダイヤル状操作部
１０２  制御ケース
【図１】
0005998114.tif 000002
【図２】
0005998114.tif 000003
【図３】
0005998114.tif 000004
【図４】
0005998114.tif 000005
【図５】
0005998114.tif 000006
【図６】
0005998114.tif 000007
【図７】
0005998114.tif 000008
【図８】
0005998114.tif 000009
【図９】
0005998114.tif 000010
【図１０】
0005998114.tif 000011
【図１１】
0005998114.tif 000012
【図１２】
0005998114.tif 000013